(57)【要約】【課題】入力画面を含む帳票システムの構築に要する設計、プログラミングを軽減することができる帳票システム構築支援装置を得る。【解決手段】既存の帳票様式ファイ９１４の入力枠を入力されるデータの種別に応じた色で着色し、この着色された入力枠を有する帳票様式ファイル６１４からイメージ様式ファイル９１１を生成し、入力枠認識手段１１０により、イメージ様式ファイル９１１の着色部分に基づき、入力枠の色と入力枠の範囲とを認識して入力枠情報９１２とし、一方、文字列認識手段１２０により、イメージ様式ファイル９１１から入力枠に付された名称の文字列と文字列範囲を認識して文字列情報９１３とし、入力枠情報９１２及び文字列情報９１３を基にして、入力枠属性９２１を編集し、編集された入力枠属性９２１を用いて画面生成手段３１０により、画面情報９３１を生成するようにした。【選択図】図２
2011243152.tif 000002
【特許請求の範囲】
【請求項１】
既存の帳票様式ファイルを元にし、入力画面の生成を含む帳票システムの構築を支援する帳票システム構築支援装置であって、
上記帳票様式ファイルは、名称が付された入力枠へ入力されるデータの種別に応じた色で上記入力枠が着色されており、この着色された入力枠を有する上記帳票様式ファイルを読み込み、この読み込まれた上記帳票様式ファイルをイメージ化してイメージ様式ファイルを生成するイメージ化手段、
上記イメージ様式ファイルの上記着色部分に基づき、上記入力枠の上記着色部分の色と上記入力枠の範囲とを認識し、入力枠情報として出力する入力枠認識手段、
上記イメージ様式ファイルから上記入力枠に付された名称の文字列と文字列範囲を認識し、文字列情報として出力する文字列認識手段、
上記入力枠情報及び上記文字列情報を基にして、上記入力枠の名称と上記入力枠の範囲と上記データ種別とを含む入力枠属性を編集する入力枠属性編集手段、
上記イメージ様式ファイルと上記入力枠情報と上記入力枠属性とに基づき、上記名称が付された入力枠へデータ入力することができる上記入力画面を形成するための画面情報を生成する画面生成手段、
この画面生成手段によって生成された上記画面情報を記憶装置に登録する画面登録手段を備えたことを特徴とする帳票システム構築支援装置。
【請求項２】
上記帳票様式ファイルが、上記入力枠へ入力されるデータの種別に応じた色で上記入力枠を着色した上記イメージ様式ファイルとして、汎用の閲覧ソフトウェアにより形成されている場合には、上記帳票様式ファイルに基づき、上記入力枠認識手段は上記入力枠情報を、また、上記文字列認識手段は上記文字列情報を出力するとともに、上記画面生成手段は上記画面情報を生成することを特徴とする請求項１記載の帳票システム構築支援装置。
【請求項３】
上記画面情報に基づいて、データ入力を行える上記入力画面を生成し表示する画面表示手段、
この画面表示手段によって表示された上記入力画面で入力されたデータを入力内容データとして上記記憶装置に記録する第１の入力内容登録手段、
この第１の入力内容登録手段によって記録された上記入力内容データを用いて、帳票を表示する帳票表示手段を備えたことを特徴とする請求項１または請求項２記載の帳票システム構築支援装置。
【請求項４】
上記帳票様式ファイルと同じ様式の手書き帳票から、この手書き帳票に記入されたデータを取り出す入力内容読取装置を備え、
上記入力内容読取装置は、上記手書き帳票と同じ様式の帳票様式ファイルから生成された上記入力枠情報及び上記入力枠属性を用いて、上記手書き帳票の文字または数字を画像認識する文字認識手段と、
この文字認識手段によって認識された文字または数字を編集する入力内容編集手段と、
この入力内容編集手段によって編集された文字または数字を入力内容データとして上記記憶装置に記録する第２の入力内容登録手段とを有し、
上記帳票表示手段は、上記第２の入力内容登録手段によって記録された入力内容データを用いて、上記帳票を表示することを特徴とする請求項３記載の帳票システム構築支援装置。
【発明の詳細な説明】
【技術分野】
【０００１】
この発明は、データ入力を行うための入力画面の生成を含む帳票システムの構築を支援する帳票システム構築支援装置に関するものである。
【背景技術】
【０００２】
従来の業務系システム構築の際には、一般的には入出力データの様式に応じて、入力画面、データベース、帳票出力を設計し、個別にプログラミング等を行うことで対応している。また、業務系システムでは、記録様式も、多種多様かつ大量で、頻繁に様式の変更が発生する。
このような、多種多様かつ大量で、頻繁に変更される様式が存在する業務のシステム構築を、従来の方法で実施すると、入力画面、データベース、帳票出力の設計及びプログラミング工数が膨大となるため、システム化が実現できない。
一部では、表計算ソフトウェアを使用することで、画面・帳票生成を効率化する試みもあるが、多種多様かつ大量で、頻繁に変更される様式が存在する業務での実施には、依然として莫大な工数が必要である。（例えば、特許文献１参照）
【先行技術文献】
【特許文献】
【０００３】
【特許文献１】特許第４２９３９７０号公報（第９〜１８頁、図１）
【発明の概要】
【発明が解決しようとする課題】
【０００４】
従来のシステム構築手法では、入力用様式あるいは画面、データベース、様式内のデータ項目とデータベースのキー項目との紐付け、印刷処理等の設計、プログラミングが発生する。多種多様で、頻繁に変更される様式を取り扱う業務に適用すると、多数の入力用様式の作成とシステムで使用するための設計、プログラミング作業の量が膨大となり、工数、費用が増大する問題点があった。
【０００５】
この発明は、上記のような課題を解決するためになされたものであり、入力画面を含む帳票システムの構築に要する設計、プログラミングを軽減することができる帳票システム構築支援装置を得ることを目的とする。
【課題を解決するための手段】
【０００６】
この発明に係わる帳票システム構築支援装置においては、既存の帳票様式ファイルを元にし、入力画面の生成を含む帳票システムの構築を支援する帳票システム構築支援装置であって、帳票様式ファイルは、名称が付された入力枠へ入力されるデータの種別に応じた色で入力枠が着色されており、この着色された入力枠を有する帳票様式ファイルを読み込み、この読み込まれた帳票様式ファイルをイメージ化してイメージ様式ファイルを生成するイメージ化手段、イメージ様式ファイルの着色部分に基づき、入力枠の着色部分の色と入力枠の範囲とを認識し、入力枠情報として出力する入力枠認識手段、イメージ様式ファイルから入力枠に付された名称の文字列と文字列範囲を認識し、文字列情報として出力する文字列認識手段、入力枠情報及び文字列情報を基にして、入力枠の名称と入力枠の範囲とデータ種別とを含む入力枠属性を編集する入力枠属性編集手段、イメージ様式ファイルと入力枠情報と入力枠属性とに基づき、名称が付された入力枠へデータ入力することができる入力画面を形成するための画面情報を生成する画面生成手段、この画面生成手段によって生成された画面情報を記憶装置に登録する画面登録手段を備えたものである。
【発明の効果】
【０００７】
この発明は、以上説明したように、既存の帳票様式ファイルを元にし、入力画面の生成を含む帳票システムの構築を支援する帳票システム構築支援装置であって、帳票様式ファイルは、名称が付された入力枠へ入力されるデータの種別に応じた色で入力枠が着色されており、この着色された入力枠を有する帳票様式ファイルを読み込み、この読み込まれた帳票様式ファイルをイメージ化してイメージ様式ファイルを生成するイメージ化手段、イメージ様式ファイルの着色部分に基づき、入力枠の着色部分の色と入力枠の範囲とを認識し、入力枠情報として出力する入力枠認識手段、イメージ様式ファイルから入力枠に付された名称の文字列と文字列範囲を認識し、文字列情報として出力する文字列認識手段、入力枠情報及び文字列情報を基にして、入力枠の名称と入力枠の範囲とデータ種別とを含む入力枠属性を編集する入力枠属性編集手段、イメージ様式ファイルと入力枠情報と入力枠属性とに基づき、名称が付された入力枠へデータ入力することができる入力画面を形成するための画面情報を生成する画面生成手段、この画面生成手段によって生成された画面情報を記憶装置に登録する画面登録手段を備えたので、既存の帳票様式ファイルを利用し、帳票システムの入力画面の構築を少い工程で行うことができるようになる。
【図面の簡単な説明】
【０００８】
【図１】この発明の実施の形態１による帳票システム構築支援装置を示す構成図である。
【図２】この発明の実施の形態１による帳票システム構築支援装置を示す詳細構成図である。
【図３】この発明の実施の形態１による帳票システム構築支援装置の帳票様式ファイルの例を示す図である。
【図４】この発明の実施の形態１による帳票システム構築支援装置のイメージ様式ファイルの例を示す図である。
【図５】この発明の実施の形態１による帳票システム構築支援装置の入力枠情報の内容を示す図である。
【図６】この発明の実施の形態１による帳票システム構築支援装置の文字列情報の内容を示す図である。
【図７】この発明の実施の形態１による帳票システム構築支援装置の入力枠設定装置の操作画面を示す図である。
【図８】この発明の実施の形態１による帳票システム構築支援装置の入力値流用手段の操作画面を示す図である。
【図９】この発明の実施の形態１による帳票システム構築支援装置の他入力枠参照情報編集手段の操作画面を示す図である。
【図１０】この発明の実施の形態１による帳票システム構築支援装置の入力枠属性の内容を示す図である。
【図１１】この発明の実施の形態１による帳票システム構築支援装置の画面情報の内容を示す図である。
【図１２】この発明の実施の形態１による帳票システム構築支援装置の入力チェックプログラムの内容を示す図である。
【図１３】この発明の実施の形態１による帳票システム構築支援装置のＤＢ等記憶手段登録プログラムの内容を示す図である。
【図１４】この発明の実施の形態１による帳票システム構築支援装置の処理全体の流れを示すフローチャートである。
【図１５】この発明の実施の形態１による帳票システム構築支援装置の入力画面生成処理の流れを示すフローチャートである。
【図１６】この発明の実施の形態１による帳票システム構築支援装置の入力枠設定処理の流れを示すフローチャートである。
【図１７】この発明の実施の形態１による帳票システム構築支援装置の属性入力処理の内容を示す図である。
【図１８】この発明の実施の形態１による帳票システム構築支援装置の画面登録処理の流れを示すフローチャートである。
【図１９】この発明の実施の形態３による帳票システム構築支援装置を示す構成図である。
【図２０】この発明の実施の形態３による帳票システム構築支援装置の処理の流れを示すフローチャートである。
【図２１】この発明の実施の形態３による帳票システム構築支援装置の入力内容編集手段の操作画面を示す図である。
【図２２】この発明の実施の形態４による帳票システム構築支援装置を示す構成図である。
【図２３】この発明の実施の形態４による帳票システム構築支援装置の画面入力装置の操作画面を示す図である。
【図２４】この発明の実施の形態４による帳票システム構築支援装置の帳票の印字イメージを示す図である。
【図２５】この発明の実施の形態４による帳票システム構築支援装置の画面入力処理の流れを示すフローチャートである。
【図２６】この発明の実施の形態４による帳票システム構築支援装置の帳票印刷処理の流れを示すフローチャートである。
【発明を実施するための形態】
【０００９】
実施の形態１．
以下、この発明の実施の形態１を図に基づいて説明する。
実施の形態１は、汎用ソフトウェアによって作成された既存の帳票様式ファイルを元にして、帳票システムの入力画面を構築するための画面情報の生成についてのものである。
図１は、この発明の実施の形態１による帳票システム構築支援装置を示す構成図である。
図１において、入力画面生成装置１００は、Ｅｘｃｅｌ（登録商標）やＷｏｒｄ（登録商標）などの汎用ソフトウェアにより作成された既存のファイルである帳票様式ファイル９１４から、帳票様式ファイル９１４を画像化（イメージ化）したファイルであるイメージ様式ファイル９１１を作成し、この作成されたイメージ様式ファイル９１１から、データ入力する入力枠についての情報である入力枠情報９１２、入力枠の名称情報である文字列情報９１３を作成する。
入力枠設定装置２００は、イメージ様式ファイル９１１、入力枠情報９１２、文字列情報９１３から、図１０で後述する入力枠属性９２１を作成し、出力する。
画面登録装置３００は、イメージ様式ファイル９１１、入力枠情報９１２、入力枠属性９２１から、画面情報９３１、入力チェックプログラム９３２、ＤＢ等記憶手段登録プログラム９３３を作成する。
【００１０】
操作画面２９１は、入力枠設定装置２００の機能をＧＵＩ（ｇｒａｐｈｉｃａｌ  ｕｓｅｒ  ｉｎｔｅｒｆａｃｅ）で提供するよう表示装置に表示された画面である。入力装置２９２は、入力枠設定装置２００への入力を行う。
なお、帳票様式ファイル９１４は、既存の帳票ファイルであり、データ入力を行う入力箇所である入力枠を、入力枠の種類ごとに定めた色により着色されている。この着色は予め人により行われている。
また、入力画面生成装置１００と、入力枠設定装置２００と、画面登録装置３００は、それぞれ別のコンピュータにより形成されてもよく、また、１つのコンピュータで形成されてもよい。この場合、各ファイルや入力枠情報９１２、文字列情報９１３、入力枠属性９２１の各情報は、記憶装置に格納される。
【００１１】
図２は、この発明の実施の形態１による帳票システム構築支援装置を示す詳細構成図である。
図２において、１００、２００、２９１、２９２、３００、９１１〜９１４、９２１、９３１〜９３３は図１におけるものと同一のものである。
入力画面生成装置１００は、次の機能を有する。
イメージ化手段１３０は、帳票様式ファイル９１４を画像化し、イメージ様式ファイル９１１を作成する。
入力枠認識手段１１０は、入力枠情報９１２を作成する。次の各手段を有する。
塗潰し箇所抽出手段１１１は、イメージ様式ファイル９１１の着色領域を抽出する。入力枠範囲抽出手段１１２は、イメージ様式ファイル９１１の着色領域から入力枠の範囲を抽出し、入力枠の座標を取得する。入力枠種別抽出手段１１３は、イメージ様式ファイル９１１の着色領域の色の別により、入力枠の種別を決定する。
文字列認識手段１２０は、イメージ様式ファイル９１１に記入されている文字列を認識し、文字列情報９１３を作成する。次の各手段を有する。
文字抽出手段１２１は、イメージ様式ファイル９１１に記入されている文字を認識する。文字列抽出手段１２２は、抽出した文字から文字列を抽出する。文字列範囲抽出手段１２３は、抽出した文字列のイメージ様式ファイル９１１上での範囲を抽出し、座標を取得する。
【００１２】
入力枠設定装置２００は、次の機能を有する。
イメージ表示手段２１０は、イメージ様式ファイル９１１を画面に表示する。
入力枠属性編集手段２２０は、個々の入力枠の属性を設定し、入力枠属性９２１を作成する。次の各手段を有する。
入力値流用手段２２１は、個々の入力枠のデータを流用する。名称編集手段２２２は、個々の入力枠に、文字列情報９１３を設定する。属性入力手段２２３は、個々の入力枠に文字を入力する。他入力枠参照情報編集手段２２４は、個々の入力枠に、他の入力枠を使用した計算式で、値を設定する指定を編集する。型情報取得手段２２５は、着色情報を入力枠の型情報として取得する。
【００１３】
画面登録装置３００は、次の機能を有する。
画面生成手段３１０は、画面情報９３１を作成する。
入力チェックプログラム生成手段３２０は、データ入力時に入力内容をチェックするプログラムである入力チェックプログラム９３２を作成する。ＤＢ等記憶手段登録プログラム生成手段３３０は、入力されたデータをＤＢ等の記憶手段に登録するプログラムであるＤＢ等記憶手段登録プログラムを作成する。画面登録手段３４０は、画面情報９３１、入力チェックプログラム９３２、ＤＢ等記憶手段登録プログラム９３３を登録する。
【００１４】
図３は、この発明の実施の形態１による帳票システム構築支援装置の帳票様式ファイルの例を示す図であり、帳票様式ファイル９１４の内容例を表している。
図３において、帳票様式ファイル９１４は、パイプの測定記録を記入する様式の入力欄を有する全体を表すもの。表９１４１は、測定結果が記入される複数の入力枠を有する。
文字列９１１１ａは、入力枠９１４１ｂが記入項目の一つである測定者名であることを示している。入力枠９１４１ｂは、測定者名の記入欄であり、のちに文字列の入力枠であることを示す黄色に着色される。
文字列９１４１ｃは、入力枠が記入項目の一つである外径（Ｄ）であることを示し、入力枠９１４１ｄは、外径（Ｄ）の記入欄であり、にちに数値の入力枠であることを示す緑色に着色される。
文字列９１４１ｅは、入力枠が記入項目の一つである内径（ｄ）であることを示し、入力枠９１４１ｆは、内径（ｄ）の記入欄であり、のちに数値の入力枠であることを示す緑色に着色される。
文字列９１４１ｇは、入力枠が記入項目の一つである肉厚（Ｄ−ｄ）であることを示し、入力枠９１４１ｈは、肉厚（Ｄ−ｄ）の記入欄であり、のちに自動計算項目が与えられることを示す桃色に着色される。
【００１５】
図４は、この発明の実施の形態１による帳票システム構築支援装置のイメージ様式ファイルの例を示す図であり、イメージ様式ファイル９１１の内容例を表している。
図４において、イメージ様式ファイル９１１は、パイプの測定記録を記入する様式の入力欄に着色した全体を表すもの。表９１１１は、測定結果が記入される複数の入力枠を有する。
文字列９１１１ａは、入力枠９１１１ｂが記入項目の一つである測定者名であることを示している。入力枠９１１１ｂは、測定者名の記入欄であり、文字列の入力枠であることを示す黄色で着色している。
文字列９１１１ｃは、入力枠が記入項目の一つである外径（Ｄ）であることを示し、入力枠９１１１ｄは、外径（Ｄ）の記入欄であり、数値の入力枠であることを示す緑色を着色している。
文字列９１１１ｅは、入力枠が記入項目の一つである内径（ｄ）であることを示し、入力枠９１１１ｆは、内径（ｄ）の記入欄であり、数値の入力枠であることを示す緑色を着色している。
文字列９１１１ｇは、入力枠が記入項目の一つである肉厚（Ｄ−ｄ）であることを示し、入力枠９１１１ｈは、肉厚（Ｄ−ｄ）の記入欄であり、自動計算項目が与えられることを示す桃色を着色している。
【００１６】
図５は、この発明の実施の形態１による帳票システム構築支援装置の入力枠情報の内容を示す図であり、入力枠情報９１２の内容を表している。
図５において、本実施の形態１においては計４つの入力枠が認識されている。入力枠情報９１２は、着色された色と、入力枠の範囲を示す座標からなる。
行９１２０ａは、表形式で現した、入力枠情報９１２の各列の意味を示す行で、左列から順に、認識した枠の色、長方形として認識した入力枠の左上のｘ座標、左上のｙ座標、右下のｘ座標、右下のｙ座標を表す列であることを示すものである。
情報９１２０ｂは、認識された入力枠の一つの情報を表し、その入力枠の色が黄色で、左上座標が（２００，８００）、右下座標が（７００，９００）の長方形であることを示している。以下の各行も同様である。
【００１７】
図６は、この発明の実施の形態１による帳票システム構築支援装置の文字列情報の内容を示す図であり、文字列情報９１３の内容を表している。
図６において、本実施の形態１においては、計７つの文字列が認識されたことを示している。文字列情報９１３は、文字列と、その範囲を示す座標からなる。
行９１３０ａは、表形式で表した、文字列情報９１３の各列の意味を示す行で、左から順に、認識した文字列、長方形として認識した文字列位置の左上のｘ座標、左上のｙ座標、右下のｘ座標、右下のｙ座標を表す列であることを示している。
情報９１３０ｂは、認識された文字列の一つの情報を表し、その文字列が、「パイプ」で、左上座標が（１５０，１００）、右下座標が（２００，１５０）の長方形内にあることを示している。以下の各行も同様である。
【００１８】
図７は、この発明の実施の形態１による帳票システム構築支援装置の入力枠設定装置の操作画面を示す図であり、入力枠設定装置２００の操作画面の一つを表している。
図７において、操作画面２９１は、操作画面として表示する複数の画面を示している。
画面２９１０は、操作画面２９１のうち、イメージ表示手段２１０にて表示される部分で、イメージ様式ファイル９１１の内容が再現されて表示される。
文字列２９１０ａは、入力枠が記入項目の一つである測定者名であることを示し、入力枠２９１０ｂは、測定者名の記入欄であり、文字列の入力枠であることを示す黄色で着色されている。
文字列２９１０ｃは、入力枠が記入項目の一つである外径（Ｄ）であることを示し、入力枠２９１０ｄは、外径（Ｄ）の記入欄であり、数値の入力枠であることを示す緑色で着色されている。
文字列２９１０ｅは、入力枠が記入項目の一つである内径（ｄ）であることを示し、入力枠２９１０ｆは、内径（ｄ）の記入欄であり、数値の入力枠であることを示す緑色で着色されている。
文字列２９１０ｇは、入力枠が記入項目の一つである肉厚（Ｄ−ｄ）であることを示し、入力枠２９１０ｈは、肉厚（Ｄ−ｄ）の記入欄であり、自動計算項目が与えられることを示す桃色で着色されている。
【００１９】
画面２９１１は、操作画面２９１のうち、入力枠属性編集手段２２０にて表示される部分を示している。
表２９１１ａは、本実施の形態１において検出された４つのデータ入力枠と、このデータ入力枠にデータ入力することによって、各々の型情報、名称、制約情報、他入力枠参照情報を結びつける編集を行う。
ボタン２９１１ｂは、編集した内容を登録するときに押下されるボタンである。
【００２０】
図８は、この発明の実施の形態１による帳票システム構築支援装置の入力値流用手段の操作画面を示す図であり、入力枠設定装置２００の操作画面の一つを示している。
図８において、２９１、２９１０、２９１０ａ〜２９１０ｈ、２９１１、２９１１ａ、２９１１ｂは図７におけるものと同一のものである。
反転表示２９１１ｃは、画面操作により、「２」の行の上限値及び下限値のセルが選択された状態であることを、反転表示にて表されている。
【００２１】
図９は、この発明の実施の形態１による帳票システム構築支援装置の他入力枠参照情報編集手段の操作画面を示す図であり、入力枠設定装置２００の操作画面の一つを示している。
図９において、２９１は図７におけるものと同一のものである。
画面２９１３は、操作画面２９１のうち、イメージ表示手段２１０にて表示される部分で、イメージ様式ファイル９１１の内容が再現されて表示される。
入力枠２９１３ａは、外径（Ｄ）の記入欄であり、数値の入力枠であることを示す緑色で着色されている。
入力枠２９１３ｂは、内径（ｄ）の記入欄であり、数値の入力枠であることを示す緑色で着色されている。
画面２９１４は、操作画面２９１の内、他入力枠参照情報編集手段２２４にて表示される部分である。
ボタン２９１４ａは、画面２９１４に表示されるボタンの一つで、等号を入力する。
ボタン２９１４ｂは、画面２９１４に表示されるボタンの一つで、四則演算のうち、減算を入力する。
登録ボタン２９１４ｃは、編集している他入力枠参照情報を登録する。
表示枠２９１４ｄは、ボタン操作により編集されている他入力枠参照情報を表示する。
【００２２】
図１０は、この発明の実施の形態１による帳票システム構築支援装置の入力枠属性の内容を示す図であり、入力枠属性９２１の内容を示している。
図１０において、入力枠属性９２１は、入力枠属性情報を表形式で表したもので、左の列より、識別された入力枠の帳票様式ファイル９１４上での名前、本装置により各入力枠に付与されたＩＤ、入力枠のイメージ様式ファイル９１１中での範囲を長方形で表したときの左上のｘ座標、左上のｙ座標、右下のｘ座標、右下のｙ座標、入力枠設定装置２００により各入力枠に付与された入力枠のデータ名称、入力枠に入力される値の型情報、入力値の上限値、下限値、入力枠の内容を他の入力枠の入力値によって計算する場合の計算式、を有し、各行は、入力枠画面生成装置１００により認識された入力枠である。
行９２１１は、入力画面生成装置１００により認識された入力枠の一つに対応する行であって、入力枠の名前が「１」、入力枠設定装置２００により付与されたＩＤがＩ１、範囲が左上は（２００，８００）、右下は（７００，９００）、データ名称が、測定者名、データ型が文字列、上限値、下限値、計算式が無いことを示している。
【００２３】
図１１は、この発明の実施の形態１による帳票システム構築支援装置の画面情報の内容を示す図であり、画面情報９３１の内容を表している。
図１１において、画面情報９３１は、イメージ様式ファイル９１１と、入力枠設定装置２００で登録された属性情報９３１１で構成され、それぞれファイルの内容を示している。
イメージ様式ファイル９１１は、図４に示す内容である。
属性情報９３１１は、表形式で内容を表した、属性設定装置２００において設定された各入力枠の属性情報である。
行９３１１ａは、入力枠のうちの一つの属性情報を表す、名前が「１」の行であり、以下の各行も同様である。
【００２４】
図１２は、この発明の実施の形態１による帳票システム構築支援装置の入力チェックプログラムの内容を示す図であり、画面登録装置３００により出力される、入力チェックプログラム９３２の内容を示す。
図１２において、プログラム９３２１は、ＩＤがＩ２である枠に入力された値が、上限値の２０を越えていることを判断するためのプログラムである。プログラム９３２３は、ＩＤがＩ２である枠に入力された値が下限値の１５を下回っていることを判断するためのプログラムである。プログラム９３２４は、ＩＤがＩ３である枠に入力された値が上限値の１３を越えていることを判断するためのプログラムである。プログラム９３２５は、ＩＤがＩ３である枠に入力された値が下限値の１０を下回っていることを判断するためのプログラムである。
【００２５】
図１３は、この発明の実施の形態１による帳票システム構築支援装置のＤＢ等記憶手段登録プログラムの内容を示す図であり、画面登録装置３００により出力される、ＤＢ等記憶装置登録プログラム９３３の内容を示す。
図１３において、プログラム９３３１は、帳票ＩＤ、第１の入力枠の内容、第１の入力枠の型、第２の入力枠の内容、第２の入力枠の型、第３の入力枠の内容、第３の入力枠の型、第４の入力枠の内容、第４の入力枠の型、をＤＢに登録するＳＱＬを示す。
【００２６】
図１４は、この発明の実施の形態１による帳票システム構築支援装置の処理全体の流れを示すフローチャートである。
図１５は、この発明の実施の形態１による帳票システム構築支援装置の入力画面生成処理の流れを示すフローチャートである。
図１６は、この発明の実施の形態１による帳票システム構築支援装置の入力枠設定処理の流れを示すフローチャートである。
図１７は、この発明の実施の形態１による帳票システム構築支援装置の属性入力処理の内容を示す図である。
図１８は、この発明の実施の形態１による帳票システム構築支援装置の画面登録処理の流れを示すフローチャートである。
【００２７】
次に動作について説明する。
まず、図１４及び図１を用いて、本装置全体の動作について説明する。
本装置を動作させると、まず、入力画面生成処理Ｓ１００が動作し、帳票様式ファイル９１４から、イメージ様式ファイル９１１、入力枠情報９１２、文字列情報９１３が生成される。
次に、入力枠設定装置２００にて、入力枠設定処理Ｓ２００が動作し、イメージ様式ファイル９１１、入力枠情報９１２、文字列情報９１３から、入力枠属性９２１が生成される。
次に、画面登録装置３００にて、画面登録処理Ｓ３００が動作し、イメージ様式ファイル９１１、入力枠情報９１２、入力枠属性９２１から、画面情報９３１、入力チェックプログラム９３２、ＤＢ等記憶手段登録プログラム９３３が生成される。
【００２８】
次に、図１４中の各処理の内容について、さらに詳しく説明する。
まず、図１５を用いて、入力画面生成装置１００の詳細な動作について説明する。
入力枠画面生成処理を動作させると、まず入力画面生成装置１００中にて帳票様式読込処理Ｓ１０１が動作し、帳票様式ファイル９１４を読みこむ。
次に、イメージ化手段１３０にて、イメージ化処理Ｓ１０２が動作し、イメージ様式ファイル９１１が生成される。
次に、入力枠認識手段１１０中の塗潰し箇所抽出手段１１１にて、塗潰し箇所抽出処理Ｓ１０３が動作し、イメージ様式ファイル９１１中の着色箇所と色種別を取得する。
次に、入力枠範囲抽出手段１１２にて、入力枠範囲抽出処理Ｓ１０４が動作し、先に取得された着色箇所から、入力枠となる部分の範囲を特定する情報（座標情報）を取得する。
次に、入力枠抽出手段１１３にて、入力枠種別抽出処理Ｓ１０５が動作し、先に取得された色種別から、入力枠種別を取得する。
次に、入力枠認識手段１１０にて、入力枠情報出力処理Ｓ１０６が動作し、先に取得された、入力枠となる部分の範囲を特定する情報と、入力枠種別から、図５にある内容の入力枠情報９１２を生成する。
【００２９】
次に、文字列認識手段１２０中の文字抽出手段１２１にて、文字抽出処理Ｓ１０７が動作し、イメージ様式ファイル９１１内の文字情報を取得する。
次に、文字列抽出手段１２２にて、文字列抽出処理Ｓ１０８が動作し、先に取得された文字情報から、文字列情報（測定者名など）を取得する。
次に、文字列範囲抽出手段１２３にて、文字列範囲抽出処理Ｓ１０９が動作し、先に取得された文字列情報から、文字列の部分の範囲を特定する情報（座標情報）を取得する。
次に、文字列認識手段１２０にて、文字列情報出力処理Ｓ１１０が動作し、取得した文字列情報及び座標範囲を含む文字列情報９１３（図６）を出力する。
【００３０】
次に、図１６により、入力枠設定装置２００の詳細な動作について説明する。
入力枠設定装置２００を動作させると、イメージ様式ファイル読込処理Ｓ２０１が動作し、イメージ様式ファイル９１１を読みこむ。
次に、入力枠属性装置２００にて、入力枠情報読込処理Ｓ２０２が動作し、入力枠情報９１２を読みこむ。
次に、入力枠属性装置２００にて、文字列情報読込処理Ｓ２０３が動作し、文字列情報９１３を読みこむ。
次に、入力枠設定装置２００にて、操作画面表示処理Ｓ２０４が動作し、イメージ表示手段２１０及び入力枠属性編集手段２２０にて、操作画面２９１が、図７の通り表示される。
【００３１】
次に、型情報取得手段２２５にて、型情報取得処理Ｓ２０５が動作し、それぞれの入力枠の塗潰しの色に応じて、その入力枠の型情報を決定する。
次に、入力属性編集手段２２０にて、判断処理Ｓ２０６が動作し、登録ボタン２９１１ｂが押下されていなければ、Ｎｏの先の処理を、押下されていれば、Ｙｅｓの先の処理を動作させる。
上記判断処理Ｓ２０６の時点において、登録ボタン２９１１ｂが押下されていない場合、入力属性編集手段２２０にて、属性入力処理Ｓ２０７（図１７で説明する）が動作する。
以降、上記判断処理Ｓ２０６の時点において、押下されていた場合は、入力枠設定装置装置２００にて、入力枠属性出力Ｓ２０８が動作し、帳票様式作成者の入力した内容をもとに、図１０に示すような入力枠属性９２１が出力される。
【００３２】
次に、図１７により、属性値入力処理Ｓ２０７の詳細な動作について説明する。
属性入力処理Ｓ２０７が動作すると、まず判断処理Ｓ２０７１が動作し、帳票作成者が、他入力枠参照情報の編集を開始しようとしたかどうかが判断され、開始と判断された場合、他入力枠参照情報編集手段２２４にて、他入力枠参照情報編集処理Ｓ２０７２が動作する。
他入力枠参照情報編集処理Ｓ２０７２では、図９で表示される画面２９１３中の入力枠２９１３ａ、２９１３ｂ、及び画面２９１４のボタン２９１４ａ、２９１４ｂ等、ボタンが押下された順に、表示枠２９１４ｄに式が表示され、登録ボタン押下時に、他入力枠参照情報として登録される。
【００３３】
他入力枠参照情報の編集開始と判断されなかった場合は、判断処理Ｓ２０７３が動作し、帳票作成者が、文字列情報入力を開始しようとしたかどうかが判断され、開始と判断された場合、名称編集手段２２２にて、文字列情報入力処理Ｓ２０７４が動作し、例えば図７において、文字列２９１０ａ、２９１０ｃ、２９１０ｅ、２９１０ｇがクリックされた場合に、このクリックにより選択された文字列が表２９１１ａの枠内にコピーされる。文字列２９１０ａ、２９１０ｃ、２９１０ｅ、２９１０ｇが順次クリックされれば、順次選択された文字列が表２９１１ａの枠内にコピーされる。
【００３４】
文字列情報入力処理の開始が判断されなかった場合は、判断処理Ｓ２０７５が動作し、帳票作成者が、入力値流用を開始しようとしたかどうかが判断され、開始と判断された場合、入力値流用手段２２１にて、入力値流用処理Ｓ２０７６が動作する。
入力値流用処理Ｓ２０７６では、図８で表示される画面で、例えば選択された反転表示２９１１ｃの上限値、下限値をコピーし、一つ下の行を指定してコピー指示をすることにより、入力内容を他の枠にコピーできるようになっている。
入力値流用処理の開始が判断されなかった場合は、判断処理Ｓ２０７７が動作し、帳票作成者が、属性入力を行おうとしたかどうかが判断され、属性入力手段２２３にて、属性入力処理が動作し、選択されていた表２９１１ａ中の枠に、情報を直接入力するようになっている。
【００３５】
次に、図１８により、画面登録装置３００の詳細な動作について説明する。
画面登録装置３００を動作させると、イメージ様式ファイル読込処理Ｓ３０１が動作し、イメージ様式ファイル９１１が読み込まれる。
次に、入力枠情報読込処理Ｓ３０２が動作し、入力枠情報９１２が読み込まれる。
次に、入力枠属性読込処理Ｓ３０３が動作し、入力枠属性９２１が読み込まれる。
次に、画面生成手段３１０にて、画面生成処理Ｓ３０４が動作し、画面情報９３１が生成される。
次に、画面生成手段３１０にて、画面情報出力処理Ｓ３０５が動作し、画面情報９３１のうち、イメージ様式ファイル９１１が出力される。
次に、入力チェックプログラム生成手段３２０にて、入力チェックプログラム生成処理Ｓ３０６が動作し、入力チェックプログラム９３２が生成される。
【００３６】
次に、入力チェックプログラム生成手段３２０にて、入力チェックプログラム出力処理Ｓ３０７が動作し、入力チェックプログラム９３２が出力される。
次に、ＤＢ等記憶手段登録プログラム生成手段３３０にて、ＤＢ等記憶手段登録プログラムＳ３０８が動作し、ＤＢ等記憶手段登録プログラム９３３が生成される。
次に、ＤＢ等記憶手段登録プログラム生成手段３３０にて、ＤＢ等記憶手段登録プログラム出力処理Ｓ３０９が動作し、ＤＢ等記憶手段登録プログラム９３３が出力される。
次に、画面登録手段３４０にて、画面登録処理Ｓ３１０が動作し、画面情報９３１のうち、属性情報９３１１が出力される。
これにより、図１１の画面情報９３１がデータベースに保存される。これにより、入力画面の各入力枠のデータ項目と、データベースのキー項目との紐付けを行うことができる。
【００３７】
実施の形態１によれば、既存の帳票様式ファイルを利用し、帳票システムの入力画面の入力枠属性の設定を支援することで、帳票システムの入力画面の構築を少ない工程で行うことができ、入力画面の構築に係わる設計、プログラミングの工数を大幅に削減することができる。
また、入力画面を表示するための画面情報をデータベースに保存し、入力画面の各入力枠のデータ項目と、データベースのキー項目との紐付けを自動的に行うことができる。
また、帳票様式１枚あたりの登録にかかる工数を削減でき、設備点検記録業務のような多種多様で、頻繁に変更される帳票様式を取り扱うような業務のシステム化の際に、帳票様式の登録にかかる総工数を大幅に削減することができる。
【００３８】
実施の形態２．
実施の形態１では、イメージ様式ファイル９１１を、帳票様式ファイル９１４を画像化したものとして述べたが、帳票様式ファイル９１４が、汎用の閲覧ソフトウェアなどによりイメージ様式ファイルに形成されている場合には、帳票様式ファイル９１４を実施の形態１のイメージ様式ファイルとして使用することもできる。
この場合、入力画面生成装置１００による、図１５の入力画面生成処理で、Ｓ１０２のイメージ化処理を行わなくてもよく、以後の処理では、イメージ様式ファイル９１１を帳票様式ファイル９１４に置き換える。他の構成は実施の形態１と同じである。
【００３９】
実施の形態３．
実施の形態１及び実施の形態２では、帳票様式ファイルから、入力画面用の画面情報を新規に作成する場合について述べたが、実施の形態３は、実施の形態１及び実施の形態２で生成された入力枠情報及び入力枠属性を利用して、紙で保存している過去の手書きの帳票から、データを取得する場合についてのものである。
以下、この発明の実施の形態３を図に基づいて説明する。
【００４０】
図１９は、この発明の実施の形態３による帳票システム構築支援装置を示す構成図である。
図１９において、９１２、９２１、９３１〜９３３は図１におけるものと同一のものである。帳票システム構築支援装置１０００は、実施の形態１または実施の形態２の帳票システム構築支援装置である。
入力内容読取装置７００は、データを手書きした紙帳票である手書き帳票９７１に記入された値を読取る。この手書き帳票９７１には、同じ様式の帳票様式ファイルがあるものとし、この同じ様式の帳票様式ファイルを用いて、すでに入力枠情報９１２と入力枠属性９２１が設定され、データベースに登録されているものとする。
入力範囲抽出手段７１０は、入力対象の手書き帳票９７１に相当する帳票様式ファイルから生成された入力枠情報９１２、入力枠属性９２１から、入力範囲、属性を抽出する。
文字認識手段７２０は、紙の帳票である手書き帳票９７１上で、入力範囲抽出手段７１０にて抽出された範囲内の文字または数字を画像認識する。
認識内容表示手段７３０は、文字認識手段７２０にて認識された内容を画面に表示する。
入力内容編集手段７４０は、文字認識手段７２０によって認識された結果を、キーボード・マウス等の入力装置７９２を用いて編集する手段である。このため、表示装置に操作画面７９１を表示する。
入力内容チェック手段７５０は、入力チェックプログラム９３２を利用して、認識された文字または数字の入力内容をチェックする。
入力内容登録手段７６０（第２の入力内容登録手段）は、編集した入力内容を、ＤＢ等記憶手段登録プログラム９３３を用いて、ＤＢ等記憶手段の入力内容データ４９３に登録する。
【００４１】
図２０は、この発明の実施の形態３による帳票システム構築支援装置の処理の流れを示すフローチャートである。
【００４２】
図２１は、この発明の実施の形態３による帳票システム構築支援装置の入力内容編集手段の操作画面を示す図である。
図２１において、操作画面７９１は、文字列７９１０ａを有し、入力済帳票ファイル９７１をイメージとして読込み表示する画面７９１０と、入力済帳票ファイル９７１の認識された文字、数字及び認識された入力枠を表示するとともに登録ボタン７９１１ａを有する画面７９１１とにより構成されている。
【００４３】
次に、図２０を用いて、動作について説明する。
帳票システム構築支援装置が動作すると、まず、入力範囲抽出手段７１０にて、入力範囲抽出処理Ｓ７０１が動作し、入力枠情報９１２、入力枠属性９２１を元に、入力範囲が抽出される。
次に、文字認識手段７２０にて、文字認識処理Ｓ７０２が動作し、上記入力範囲内の文字または数字が画像認識される。
次に、認識内容表示手段７３０にて、認識内容表示処理Ｓ７０３が動作し、入力済帳票ファイル９７１をイメージとして読込み、図２１の画面７９１０に表示する。
次に、入力内容編集手段７４０にて、認識内容編集処理Ｓ７０４が動作し、図２１の画面７９１１に、帳票のイメージ及び認識した入力枠、認識された文字または数字を表示し、データ入力者が入力枠部分の編集を行う。
次に、データ入力者が登録ボタン７９１１ａをクリックすることにより、入力内容チェック手段７５０にて、入力内容チェック処理Ｓ７０５が動作し、入力チェックプログラム９３２を用いて、認識または編集された入力内容のチェックを行う。
次に、入力内容表示手段７６０にて、入力内容登録処理７０６が動作し、チェック済みの入力内容データが、ＤＢ等記憶手段に格納された入力内容データ４９３に記録される。
【００４４】
実施の形態３によれば、帳票システムの構築に際し、実施の形態１及び実施の形態２で生成された入力枠情報及び入力枠属性を利用して、過去に用いられた手書き帳票のデータを取得できるようにしたので、データ入力の手間を削減することができる。
【００４５】
実施の形態４．
実施の形態１〜実施の形態３では、帳票様式ファイルから入力画面用の入力枠情報、入力枠属性及び画面情報を生成、またはそれを利用して手書き帳票からのデータ入力を行ったが、実施の形態４は、画面情報を元にして、帳票出力を行うようにしたものである。
図２２は、この発明の実施の形態４による帳票システム構築支援装置を示す構成図である。
図２２において、４９３、９３１〜９３３は図１９におけるものと同一のものである。帳票システム構築支援装置１１００は、実施の形態１〜実施の形態３の帳票システム構築支援装置である。
画面入力装置４００は、画面情報９３１、入力チェックプログラム９３２、ＤＢ等記憶手段登録プログラム９３３を用いて、データ入力者に、操作画面４９１及び入力装置４９２による帳票データ入力の手段を提供するもので、次のように構成されている。
画面表示手段４１０は、画面情報９３１を用いて、データ入力者に入力画面を提供する。入力チェック手段４２０は、データ入力者が、入力装置４９２により入力したデータのチェックを行う。入力内容登録手段４３０（第１の入力内容登録手段）は、データ入力者が入力した内容を登録する。
【００４６】
帳票印刷装置５００は、画面情報９３１、入力内容データ４９３を用いて、帳票を印刷するもので、次のように構成されている。
帳票イメージ生成手段５１０は、ＤＢ等記憶手段に登録された入力内容データ４９３と画面情報９３１から、帳票イメージを作成する。印刷手段５２０は、作成した帳票イメージを印刷する。
【００４７】
帳票表示装置６００は、画面情報９３１、入力内容データ４９３を用いて、帳票の表示、蓄積データの分析を行うもので、次のように構成されている。
帳票表示手段６１０は、画面情報９３１、入力内容データ４９３を用いて、帳票表示を行う。
帳票分析手段６１１は、入力内容データ４９３を用いて、蓄積データを分析する。
【００４８】
図２３は、この発明の実施の形態４による帳票システム構築支援装置の画面入力装置の操作画面を示す図であり、画面入力装置４００の操作画面を表している。
図２３において、操作画面４９１は、操作画面として表示されるウィンドウで、イメージ様式ファイル９１１の内容が再現されて表示される。
文字列４９１ａは、入力枠が記入項目の一つである測定者名であることを示し、入力枠４９１ｂは、測定者名の記入欄である。
文字列４９１ｃは、入力枠が記入項目の一つである外径（Ｄ）であることを示し、入力枠４９１ｄは、外径（Ｄ）を記入する記入欄である。
文字列４９１ｅは、入力枠が記入項目の一つである内径（ｄ）であることを示し、入力枠４９１ｆは、内径（ｄ）を記入する記入欄である。
文字列４９１ｇは、入力枠が記入項目の一つである肉厚（Ｄ−ｄ）であることを示し、入力枠４９１ｈは、肉厚（Ｄ−ｄ）を記入する記入欄である。
登録ボタン４９１ｉは、編集した内容を登録する際に押下する。
【００４９】
図２４は、この発明の実施の形態４による帳票システム構築支援装置の帳票の印字イメージを示す図であり、帳票印刷装置５００にて印刷された帳票を表している。
図２４において、紙帳票５９１は、印刷された紙の帳票である。
測定者名欄５９１ａは、画面入力装置４００にて、測定者名として入力された、○○  △△、という文字が差し込まれた欄である。
外径（Ｄ）欄５９１ｂは、画面入力装置４００にて、外径（Ｄ）として入力された、１８という数値が差し込まれた欄である。
内径（ｄ）欄５９１ｃは、画面入力装置４００にて、内径（ｄ）として入力された、１２という数値が差し込まれた欄である。
肉厚（Ｄ−ｄ）欄５９１ｄは、画面入力装置４００にて計算された値６という数値が差し込まれた、欄である。
【００５０】
図２５は、この発明の実施の形態４による帳票システム構築支援装置の画面入力処理の流れを示すフローチャートである。
図２６は、この発明の実施の形態４による帳票システム構築支援装置の帳票印刷処理の流れを示すフローチャートである。
【００５１】
次に、図２５を用いて、画面入力装置４００の動作について説明する。
画面入力装置４００を動作させると、画面情報読込処理Ｓ４０１が動作し、画面情報９３１が読み込まれる。
次に、入力チェックプログラム読込処理Ｓ４０２が動作し、入力チェックプログラム９３２が読み込まれる。
次に、ＤＢ等記憶手段登録プログラム読込処理Ｓ４０３が動作し、ＤＢ等記憶手段登録プログラム９３３が読み込まれる。
次に、画面表示手段４１０にて、操作画面表示処理Ｓ４０４が動作し、ウィンドウ４９１が表示され、入力枠４９１ｂ、４９１ｄ、４９１ｆ、４９１ｈが、データ入力者により入力可能となる。
次に、画面表示手段４００にて、判断処理Ｓ４０５が実行され、登録ボタン４９１ｉが押下されていなければ、Ｎｏの先の処理を、押下されていれば、Ｙｅｓの先の処理を動作させる。
【００５２】
判断処理Ｓ４０５の時点において、登録ボタン４９１ｉが押下されていない場合、画面表示手段４１０にて、入力枠選択処理Ｓ４０６が動作し、データ入力者により、入力枠４９１ｂ又は入力枠４９１ｄ又は入力枠４９１ｆ又は入力枠４９１ｈがクリックされることにより、該当入力枠が選択され、対応する入力枠が入力可能となる。
次に、画面表示手段４１０にて、データ入力処理Ｓ４０７が動作し、データ入力者に該当入力枠のデータを入力させ、入力後再び判断処理Ｓ４０５から動作する。
次に、判断処理Ｓ４０５の時点において、登録ボタン４９１ｉが押下されていた場合の動作について説明する。
入力枠設定装置装置４００にて、入力チェック処理Ｓ４０９が動作し、入力内容が制約情報に反していないことを確認する。
次に、入力内容登録手段４３０にて、入力データ保存処理Ｓ４０９が動作し、入力データがＤＢ等記憶手段の入力内容データ４９３に記録される。
【００５３】
次に、図２６を用いて、帳票印刷装置５００の動作について説明する。
帳票印刷装置５００を動作させると、画面情報読込処理Ｓ５０１が動作し、画面情報９３１が読み込まれる。
次に、入力データ読み込み処理Ｓ５０２が動作し、ＤＢ等記憶手段から、データ入力者の入力した入力内容データ４９３が読み込まれる。
次に、帳票イメージ生成手段５１０にて、帳票イメージ生成処理Ｓ５０３が動作し、帳票イメージが生成される。
次に、印刷手段５２０にて、帳票印刷処理Ｓ５００が動作し、帳票５９１が印刷される。
【００５４】
次に、帳票表示装置６００の動作について説明する。
帳票表示手段６１０は、帳票イメージ生成手段５１０と同様の動作で帳票イメージを作成し、画面に表示する。
また、帳票分析手段６２０については、入力内容データ４９３から、時系列データを取得し、折れ線グラフ等、適切なグラフに表示する。
【００５５】
実施の形態４によれば、帳票システム構築支援装置によって生成された画面情報を利用して、帳票出力することにより、データベース化及び帳票出力の設計やプログラミングにかかる工数を大幅に削減することができる。
【符号の説明】
【００５６】
１００  入力画面生成装置
１１０  入力枠認識手段
１１１  塗潰し箇所抽出手段
１１２  入力枠範囲抽出手段
１１３  入力枠種別抽出手段
１２０  文字列認識手段
１２１  文字抽出手段
１２２  文字列抽出手段
１２３  文字列範囲抽出手段
１３０  イメージ化手段
２００  入力枠設定装置
２１０  イメージ表示手段
２２０  入力枠属性編集手段
２２１  入力値流用手段
２２２  名称編集手段
２２３  属性入力手段
２２４  他入力枠参照情報編集手段
２２５  型情報取得手段
２９１  操作画面
２９２  入力装置
３００  画面登録装置
３１０  画面生成手段
３２０  入力チェックプログラム生成手段
３３０  ＤＢ等記憶手段登録プログラム生成手段
３４０  画面登録手段
４００  画面入力装置
４１０  画面表示手段
４２０  入力チェック手段
４３０  入力内容登録手段
４９１  操作画面
４９２  入力装置
４９３  入力内容データ
５００  帳票印刷装置
５１０  帳票イメージ生成手段
５２０  印刷手段
６００  帳票表示装置
６１０  帳票表示手段
６２０  帳票分析手段
７００  入力内容読取装置
７１０  入力範囲抽出手段
７２０  文字認識手段
７３０  認識内容表示手段
７４０  入力内容編集手段
７５０  入力内容チェック手段
７６０  入力内容登録手段
７９１  操作画面
７９２  入力装置
９１１  イメージ様式ファイル
９１２  入力枠情報
９１３  文字列情報
９１４  帳票様式ファイル
９２１  入力枠属性
９３１  画面情報
９３２  入力チェックプログラム
９３３  ＤＢ等記憶手段登録プログラム
９７１  手書き帳票
１０００  実施の形態１、２の帳票システム構築支援装置
１１００  実施の形態１〜３の帳票システム構築支援装置
【図１】
2011243152.tif 000003
【図２】
2011243152.tif 000004
【図３】
2011243152.tif 000005
【図４】
2011243152.tif 000006
【図５】
2011243152.tif 000007
【図６】
2011243152.tif 000008
【図７】
2011243152.tif 000009
【図８】
2011243152.tif 000010
【図９】
2011243152.tif 000011
【図１０】
2011243152.tif 000012
【図１１】
2011243152.tif 000013
【図１２】
2011243152.tif 000014
【図１３】
2011243152.tif 000015
【図１４】
2011243152.tif 000016
【図１５】
2011243152.tif 000017
【図１６】
2011243152.tif 000018
【図１７】
2011243152.tif 000019
【図１８】
2011243152.tif 000020
【図１９】
2011243152.tif 000021
【図２０】
2011243152.tif 000022
【図２１】
2011243152.tif 000023
【図２２】
2011243152.tif 000024
【図２３】
2011243152.tif 000025
【図２４】
2011243152.tif 000026
【図２５】
2011243152.tif 000027
【図２６】
2011243152.tif 000028